【誤訳訂正書】
【提出日】令和2年1月27日(2020.1.27)
【誤訳訂正１】
【訂正対象書類名】特許請求の範囲
【訂正対象項目名】全文
【訂正方法】変更
【訂正の内容】
【特許請求の範囲】
【請求項１】
最適化された生命保険パッケージを生成するためにコンピュータによって実施される方法であって、
少なくとも１つのグラフィカルユーザインタフェースを通じて、年齢及びリスク区分を含む消費者データを収集するステップと、
少なくとも１つのプロセッサを用いて、生命保険オプションについての要求を、前記消費者データに少なくとも部分的に基づいて生成するステップと、
前記生命保険オプションについての要求を、生命保険オプション供給者システムへと送信するステップと、
前記生命保険オプション供給者システムから、１つ以上の生命保険オプションを受信するステップと、
生命保険契約についての要求を、前記消費者データに少なくとも部分的に基づいて生成するステップと、
前記生命保険契約についての要求を、生命保険契約供給者システムへと送信するステップであって、前記生命保険契約供給者システムは、前記生命保険オプション供給者システムとは別であり、前記生命保険オプション供給者システムからリモート操作される、ステップと、
前記生命保険契約供給者システムから、１つ以上の生命保険契約を受信するステップと、
少なくとも１つのプロセッサを用いて、前記１つ以上の生命保険契約からの少なくとも１つの生命保険契約と、前記１つ以上の生命保険オプションからの少なくとも１つの生命保険オプションとの間における適合を決定するステップであって、前記適合は、前記少なくとも１つの生命保険契約における保障期間及び前記消費者データの少なくとも一部に少なくとも部分的に基づいて決定され、前記適合は、
少なくとも１つのプロセッサを用いて、少なくとも１つの生命保険データベース内に格納された複数の生命保険契約と複数の生命保険オプションとの間の関連付けを決定するステップであって、前記生命保険契約のそれぞれは、加入資格要件に対応している、ステップと、
複数の加入資格のある生命保険契約と前記消費者データ及び前記加入資格要件に少なくとも部分的に基づく生命保険オプションとを決定するステップであって、前記消費者データに関連付けられた消費者は、前記複数の生命保険契約についての加入資格要件を満たしている、ステップと、
少なくとも１つのプロセッサを用いて、前記複数の生命保険契約から前記少なくとも１つの生命保険契約を、及び、前記複数の生命保険オプションから前記少なくとも１つの生命保険オプションを、前記関連付けに少なくとも部分的に基づいて特定するステップと
によって決定される、ステップと、
前記少なくとも１つの生命保険オプションを含む最適化された生命保険パッケージを生成するステップと、
ユーザのコンピュータに、前記最適化された生命保険パッケージの視覚的表示を含む少なくとも１つのグラフィカルユーザインタフェースを生成するように構成されたデータを送信するステップと
を含む、コンピュータによって実施される方法。
【請求項２】
前記最適化された生命保険パッケージは、前記少なくとも１つの生命保険契約を含み、前記少なくとも１つの生命保険契約は、前記消費者データ、消費者からの入力、代理人からの入力、相談員からの入力、担当者からの入力又はこれらの組み合わせに基づいて特定される、請求項１に記載のコンピュータによって実施される方法。
【請求項３】
前記少なくとも１つの生命保険データベースは、ローカルのデータベース及びリモートのサードパーティデータベースのうちの少なくとも１つを含む、請求項２に記載のコンピュータによって実施される方法。
【請求項４】
前記視覚的表示は、前記最適化された生命保険パッケージの少なくとも１つの契約例示を含む、請求項１に記載のコンピュータによって実施される方法。
【請求項５】
前記最適化された生命保険パッケージは、複数の生命保険オプションを含み、前記少なくとも１つの契約例示は、前記複数の生命保険オプションのそれぞれについての保険料及びオプション期間を含む、請求項４に記載のコンピュータによって実施される方法。
【請求項６】
前記少なくとも１つの契約例示は、ユーザが前記少なくとも１つの契約例示とやり取りすることを容易にするようにプログラムされた対話型ユーザインタフェースを含む、請求項４に記載のコンピュータによって実施される方法。
【請求項７】
前記少なくとも１つの生命保険オプションは、消費者が、後日、少なくとも１つの生命保険契約を保証された価格で購入すること、少なくとも１つの生命保険契約を保証されたリスク区分で購入すること又はそれらの任意の組み合わせのうちの少なくとも１つを行うオプションを行使可能な保証を含む、請求項１に記載のコンピュータによって実施される方法。
【請求項８】
前記少なくとも１つの生命保険オプションからの生命保険オプションの選択を受信するステップであって、前記生命保険オプションは、特定の期間若しくは日に又はその後に前記生命保険オプションに対応する生命保険契約を購入できることを消費者に保証するオプション契約を含む、ステップをさらに含む、請求項１に記載のコンピュータによって実施される方法。
【請求項９】
前記最適化された生命保険パッケージは、期間を有する生命保険契約を含み、前記少なくとも１つの生命保険オプションは、前記生命保険契約の前記期間に基づいている、請求項１に記載のコンピュータによって実施される方法。
【請求項１０】
前記最適化された生命保険パッケージは、期間を有する複数の生命保険契約を含み、前記複数の生命保険契約の前記期間の総計は、保障期間にまで及んでいる、請求項１に記載のコンピュータによって実施される方法。
【請求項１１】
前記少なくとも１つの生命保険オプションは、オプション日を含み、前記最適化された生命保険パッケージは、期間を有する少なくとも１つの生命保険契約を含み、前記少なくとも１つの生命保険オプションは、前記オプション日及び前記少なくとも１つの生命保険契約の前記期間に少なくとも部分的に基づいて決定される、請求項１に記載のコンピュータによって実施される方法。
【請求項１２】
最適化された生命保険パッケージを生成するためのコンピュータプログラム製品であって、該コンピュータプログラム製品は、プログラム命令を包含する非一時的媒体を少なくとも１つ含み、該プログラム命令は、少なくとも１つのコンピュータの少なくとも１つのプロセッサによって実行された際に、
ユーザのコンピュータに、消費者データを収集するようにプログラムされた少なくとも１つのグラフィカルユーザインタフェースを生成するように構成されたデータを送信するステップであって、前記消費者データは、年齢及びリスク区分を含む、ステップと、
少なくとも１つのプロセッサを用いて、生命保険オプションについての要求を、前記消費者データに少なくとも部分的に基づいて生成するステップと、
前記生命保険オプションについての要求を、生命保険オプション供給者システムへと送信するステップであって、前記生命保険オプション供給者システムとは別である生命保険契約供給者システムが、前記生命保険オプション供給者システムからリモート操作される、ステップと、
前記生命保険オプション供給者システムから、１つ以上の生命保険オプションを受信するステップと、
１つ以上の生命保険契約を、生命保険契約供給者から特定するステップと、
前記１つ以上の生命保険契約からの少なくとも１つの生命保険オプションを、前記１つ以上の生命保険契約からの少なくとも１つの生命保険契約と、前記消費者データ及び前記少なくとも１つの生命保険契約の期間に少なくとも部分的に基づいて適合させるステップであって、前記少なくとも１つの生命保険オプションは、オプション日及び費用を含み、前記適合は、
少なくとも１つのプロセッサを用いて、少なくとも１つの生命保険データベース内に格納された複数の生命保険契約と複数の生命保険オプションとの間の関連付けを決定するステップであって、前記生命保険契約のそれぞれは、加入資格要件に対応している、ステップと、
複数の加入資格のある生命保険契約と前記消費者データ及び前記加入資格要件に少なくとも部分的に基づく生命保険オプションとを決定するステップであって、前記消費者データに関連付けられた消費者は、前記複数の生命保険契約についての加入資格要件を満たしている、ステップと、
少なくとも１つのプロセッサを用いて、前記複数の生命保険契約から前記少なくとも１つの生命保険契約を、及び、前記複数の生命保険オプションから前記少なくとも１つの生命保険オプションを、前記関連付けに少なくとも部分的に基づいて特定するステップと
によって決定される、ステップと、
前記少なくとも１つの生命保険オプションに少なくとも部分的に基づいて、少なくとも１つの生命保険契約例示を生成するステップと、
前記生命保険契約についての要求を、生命保険契約供給者システムへと送信するステップであって、前記生命保険契約供給者システムは、前記生命保険オプション供給者システムとは別であり、前記生命保険オプション供給者システムからリモート操作される、ステップと、
前記生命保険契約供給者システムから、１つ以上の生命保険契約を受信するステップと、
少なくとも１つのプロセッサを用いて、前記１つ以上の生命保険契約からの少なくとも１つの生命保険契約と、前記１つ以上の生命保険オプションからの少なくとも１つの生命保険オプションとの間における適合を決定するステップであって、前記適合は、前記少なくとも１つの生命保険契約における保障期間及び前記消費者データの少なくとも一部に少なくとも部分的に基づいて決定され、前記適合は、
少なくとも１つのプロセッサを用いて、少なくとも１つの生命保険データベース内に格納された複数の生命保険契約と複数の生命保険オプションとの間の関連付けを決定するステップであって、前記生命保険契約のそれぞれは、加入資格要件に対応している、ステップと、
複数の加入資格のある生命保険契約と前記消費者データ及び前記加入資格要件に少なくとも部分的に基づく生命保険オプションとを決定するステップであって、前記消費者データに関連付けられた消費者は、前記複数の生命保険契約についての加入資格要件を満たしている、ステップと、
少なくとも１つのプロセッサを用いて、前記複数の生命保険契約から前記少なくとも１つの生命保険契約を、及び、前記複数の生命保険オプションから前記少なくとも１つの生命保険オプションを、前記関連付けに少なくとも部分的に基づいて特定するステップと
によって決定される、ステップと
を前記少なくとも１つのコンピュータに行わせる、コンピュータプログラム製品。
【請求項１３】
前記少なくとも１つの生命保険契約は、前記消費者データに少なくとも部分的に基づいて特定され、前記少なくとも１つの生命保険契約例示は、前記少なくとも１つの生命保険契約に少なくとも部分的に基づいて生成される、請求項１２に記載のコンピュータプログラム製品。
【請求項１４】
前記少なくとも１つの生命保険契約は、消費者によって保有されており、前記少なくとも１つのグラフィカルユーザインタフェースは、さらに、前記少なくとも１つの生命保険契約に関する契約情報を収集するようにプログラムされている、請求項１２に記載のコンピュータプログラム製品。
【請求項１５】
前記消費者が利用可能な少なくとも１つの生命保険オプションを決定する前記ステップは、少なくとも１つの生命保険契約と前記少なくとも１つの生命保険オプションとの間における適合を決定するステップであって、前記適合は、前記少なくとも１つの生命保険契約についての保障期間及び前記消費者データの少なくとも一部に少なくとも部分的に基づいて決定される、ステップを含む、請求項１２に記載のコンピュータプログラム製品。
【請求項１６】
前記少なくとも１つの生命保険契約と前記少なくとも１つの生命保険オプションとの間における適合を決定する前記ステップは、
少なくとも１つのプロセッサを用いて、複数の生命保険契約と複数の生命保険オプションとの間の関連付けを決定するステップであって、前記生命保険契約のそれぞれは、加入資格要件に対応している、ステップと、
複数の加入資格のある生命保険契約と前記消費者データ及び前記加入資格要件に少なくとも部分的に基づく生命保険オプションとを決定するステップであって、前記消費者データに関連付けられた消費者は、前記複数の生命保険契約についての加入資格要件を満たしている、ステップと、
少なくとも１つのプロセッサを用いて、前記複数の生命保険契約から前記少なくとも１つの生命保険契約を、及び、前記複数の生命保険オプションから前記少なくとも１つの生命保険オプションを、前記関連付けに少なくとも部分的に基づいて特定するステップと
を含む、請求項１５に記載のコンピュータプログラム製品。
【請求項１７】
前記少なくとも１つの契約例示は、前記複数の生命保険オプションのそれぞれについての保険料及びオプション期間を含む、請求項１２に記載のコンピュータプログラム製品。
【請求項１８】
前記少なくとも１つの契約例示は、ユーザが前記少なくとも１つの生命保険オプションを選択することを容易にするようにプログラムされた対話型ユーザインタフェースを含む、請求項１２に記載のコンピュータプログラム製品。
【請求項１９】
前記プログラム命令は、少なくとも１つのコンピュータの少なくとも１つのプロセッサによって実行された際に、さらに、
前記少なくとも１つの生命保険オプションからの生命保険オプションの選択を受信するステップであって、前記生命保険オプションは、消費者が、後日、少なくとも１つの生命保険契約を保証された価格で購入すること、少なくとも１つの生命保険契約を保証されたリスク区分で購入すること又はそれらの任意の組み合わせのうちの少なくとも１つを行うオプションを行使可能なオプション契約を含む、ステップ
を前記少なくとも１つのコンピュータに行わせる、請求項１２に記載のコンピュータプログラム製品。
【請求項２０】
前記最適化された生命保険パッケージは、期間を有する生命保険契約を含み、前記少なくとも１つの生命保険オプションは、前記生命保険契約の前記期間に基づいている、請求項１２に記載のコンピュータプログラム製品。
【請求項２１】
前記消費者が利用可能な少なくとも１つの生命保険オプションを決定する前記ステップは、消費者にとって最適な生命保険パッケージを生成するステップであって、前記最適な生命保険パッケージは、前記少なくとも１つの生命保険オプション及び前記少なくとも１つの生命保険契約を含み、前記少なくとも１つの生命保険オプションは、前記少なくとも１つの生命保険契約についての保障期間に少なくとも部分的に基づく前記少なくとも１つの生命保険契約に対応している、ステップを含む、請求項１２に記載のコンピュータプログラム製品。
【請求項２２】
最適化された生命保険パッケージを生成するためのシステムであって、少なくとも１つのプロセッサを含む少なくとも１つのサーバコンピュータを含み、前記少なくとも１つのサーバコンピュータは、
少なくとも１つのグラフィカルユーザインタフェースを生成するステップと、
前記少なくとも１つのグラフィカルユーザインタフェースを通して、年齢及びリスク区分を含む消費者データを収集するステップと、
少なくとも１つのプロセッサを用いて、生命保険オプションについての要求を、前記消費者データに少なくとも部分的に基づいて生成するステップと、
前記生命保険オプションについての要求を、生命保険オプション供給者システムへと送信するステップと、
前記生命保険オプション供給者システムから、１つ以上の生命保険オプションを受信するステップと、
少なくとも１つの生命保険契約についての保障期間及び前記消費者データの少なくとも一部に少なくとも部分的に基づいて、前記１つ以上の生命保険オプションから、前記少なくとも１つの生命保険契約に適合する少なくとも１つの生命保険オプションを特定するステップと、
前記少なくとも１つの生命保険オプションを含む最適化された生命保険パッケージを生成するステップと、
前記最適化された生命保険パッケージの少なくとも１つの契約例示を生成するステップと
を行うようにプログラムされている、システム。
【請求項２３】
前記少なくとも１つのサーバコンピュータは、さらに、少なくとも１つの生命保険データベースから前記少なくとも１つの生命保険を特定するステップであって、前記少なくとも１つの生命保険データベースは、ローカルのデータベース及びリモートのサードパーティデータベースのうちの少なくとも１つである、ステップを行うようにプログラムされている、請求項２２に記載のシステム。
【請求項２４】
前記少なくとも１つの生命保険契約は、ユーザによって入力される、請求項２２に記載のシステム。
【請求項２５】
前記少なくとも１つの生命保険オプションは、
少なくとも１つのプロセッサを用いて、複数の生命保険契約と複数の生命保険オプションとの間の関連付けを決定するステップであって、前記生命保険契約のそれぞれは、加入資格要件に対応している、ステップと、
複数の加入資格のある生命保険契約と前記消費者データ及び前記加入資格要件に少なくとも部分的に基づく対応する生命保険オプションとを決定するステップであって、前記消費者データに関連付けられた消費者は、前記複数の生命保険契約についての加入資格要件を満たしている、ステップと、
少なくとも１つのプロセッサを用いて、前記複数の生命保険オプションから前記少なくとも１つの生命保険オプションを、前記関連付けに少なくとも部分的に基づいて特定するステップと
により決定される、請求項２２に記載のシステム。
【請求項２６】
前記少なくとも１つの契約例示は、前記複数の生命保険オプションのそれぞれについての保険料及びオプション期間を含む、請求項２５に記載のシステム。
【請求項２７】
前記少なくとも１つの生命保険オプションは、消費者が、後日、少なくとも１つの生命保険契約を保証された価格で購入すること、少なくとも１つの生命保険契約を保証されたリスク区分で購入すること又はそれらの任意の組み合わせのうちの少なくとも１つを行うオプションを行使可能な保証を含む、請求項２２に記載のシステム。
【請求項２８】
前記少なくとも１つのサーバコンピュータは、さらに、
前記少なくとも１つの生命保険オプションからの生命保険オプションの選択を受信するステップであって、前記生命保険オプションは、特定の期間若しくは日に又はその後に前記生命保険オプションに対応する生命保険契約を購入できることを消費者に保証するオプション契約を含む、ステップ
を行うようにプログラムされている、請求項２２に記載のシステム。
【請求項２９】
前記少なくとも１つの生命保険契約の前記保障期間は、自由に変えられる、請求項１に記載の方法。
【請求項３０】
前記消費者データは、さらに、保障対象、金銭的対象、リスク許容度、所望の保障、予想される時期又はそれらの任意の組み合わせのうちの少なくとも１つを含む、請求項１に記載の方法。
【請求項３１】
前記少なくとも１つの生命保険契約と前記少なくとも１つの生命保険オプションとの間で前記適合を決定する前記ステップは、前記少なくとも１つの生命保険契約及び前記少なくとも１つの生命保険オプションを含む事前に定義されたパッケージを特定するステップを含む、請求項１に記載の方法。
【誤訳訂正２】
【訂正対象書類名】明細書
【訂正対象項目名】０００８
【訂正方法】変更
【訂正の内容】
【０００８】
本発明の好ましく非限定的な一実施形態によれば、最適化された生命保険パッケージを生成するためにコンピュータによって実施される方法が提供され、該コンピュータによって実施される方法は、少なくとも１つのグラフィカルユーザインタフェースを通じて、年齢及びリスク区分を含む消費者データを収集するステップと、少なくとも１つのプロセッサを用いて、少なくとも１つの生命保険契約と少なくとも１つの生命保険オプションとの間における適合を決定するステップであって、前記適合は、前記少なくとも１つの生命保険契約についての保障期間及び前記消費者データの少なくとも一部に少なくとも部分的に基づいて決定される、ステップと、前記少なくとも１つの生命保険オプションを含む最適化された生命保険パッケージを生成するステップと、前記ユーザのコンピュータに、前記最適化された生命保険パッケージの視覚的表示を含む少なくとも１つのグラフィカルユーザインタフェースを生成するように構成されたデータを送信するステップとを含む。
【誤訳訂正３】
【訂正対象書類名】明細書
【訂正対象項目名】００２３
【訂正方法】変更
【訂正の内容】
【００２３】
節１．最適化された生命保険パッケージを生成するためにコンピュータによって実施される方法であって、
少なくとも１つのグラフィカルユーザインタフェースを通じて、年齢及びリスク区分を含む消費者データを収集するステップと、
少なくとも１つのプロセッサを用いて、少なくとも１つの生命保険契約と少なくとも１つの生命保険オプションとの間における適合を決定するステップであって、前記適合は、前記少なくとも１つの生命保険契約についての保障期間及び前記消費者データの少なくとも一部に少なくとも部分的に基づいて決定される、ステップと、
前記少なくとも１つの生命保険オプションを含む最適化された生命保険パッケージを生成するステップと、
前記ユーザのコンピュータに、前記最適化された生命保険パッケージの視覚的表示を含む少なくとも１つのグラフィカルユーザインタフェースを生成するように構成されたデータを送信するステップと
を含む、コンピュータによって実施される方法。
【誤訳訂正４】
【訂正対象書類名】明細書
【訂正対象項目名】００２４
【訂正方法】変更
【訂正の内容】
【００２４】
節２．前記適合は、少なくとも、
少なくとも１つのプロセッサを用いて、少なくとも１つの生命保険データベース内に格納された複数の生命保険契約と複数の生命保険オプションとの間の関連付けを決定するステップであって、前記生命保険契約のそれぞれは、加入資格要件に対応している、ステップと、
複数の加入資格のある生命保険契約と前記消費者データ及び前記加入資格要件に少なくとも部分的に基づく生命保険オプションとを決定するステップであって、前記消費者データに関連付けられた消費者は、前記複数の生命保険契約についての加入資格要件を満たしている、ステップと、
少なくとも１つのプロセッサを用いて、前記複数の生命保険契約から前記少なくとも１つの生命保険契約を、及び、前記複数の生命保険オプションから前記少なくとも１つの生命保険オプションを、前記関連付けに少なくとも部分的に基づいて特定するステップと
によって決定される、節１に記載のコンピュータによって実施される方法。
【誤訳訂正５】
【訂正対象書類名】明細書
【訂正対象項目名】００２５
【訂正方法】変更
【訂正の内容】
【００２５】
節３．前記最適化された生命保険パッケージは、前記少なくとも１つの生命保険契約を含み、前記少なくとも１つの生命保険契約は、前記消費者データ、前記消費者からの入力、代理人からの入力、相談員からの入力、担当者からの入力又はこれらの組み合わせに基づいて特定される、節１に記載のコンピュータによって実施される方法。
【誤訳訂正６】
【訂正対象書類名】明細書
【訂正対象項目名】００２６
【訂正方法】変更
【訂正の内容】
【００２６】
節４．前記少なくとも１つの生命保険データベースは、ローカルのデータベース及びリモートのサードパーティデータベースのうちの少なくとも１つを含む、節１に記載のコンピュータによって実施される方法。
【誤訳訂正７】
【訂正対象書類名】明細書
【訂正対象項目名】００２７
【訂正方法】変更
【訂正の内容】
【００２７】
節５．前記視覚的表示は、前記最適化された生命保険パッケージの少なくとも１つの契約例示を含む、節１に記載のコンピュータによって実施される方法。
【誤訳訂正８】
【訂正対象書類名】明細書
【訂正対象項目名】００２８
【訂正方法】変更
【訂正の内容】
【００２８】
節６．前記最適化された生命保険パッケージは、複数の生命保険オプションを含み、前記少なくとも１つの契約例示は、前記複数の生命保険オプションのそれぞれについての保険料及びオプション期間を含む、節５に記載のコンピュータによって実施される方法。
【誤訳訂正９】
【訂正対象書類名】明細書
【訂正対象項目名】００２９
【訂正方法】変更
【訂正の内容】
【００２９】
節７．前記少なくとも１つの契約例示は、ユーザが前記少なくとも１つの契約例示とやり取りすることを容易にするようにプログラムされた対話型ユーザインタフェースを含む、節５に記載のコンピュータによって実施される方法。
【誤訳訂正１０】
【訂正対象書類名】明細書
【訂正対象項目名】００３０
【訂正方法】変更
【訂正の内容】
【００３０】
節８．前記少なくとも１つの生命保険オプションは、前記消費者が、後日、少なくとも１つの生命保険契約を保証された価格で購入すること、少なくとも１つの生命保険契約を保証されたリスク区分で購入すること又はそれらの任意の組み合わせのうちの少なくとも１つを行うオプションを行使可能な保証を含む、節１に記載のコンピュータによって実施される方法。
【誤訳訂正１１】
【訂正対象書類名】明細書
【訂正対象項目名】００３１
【訂正方法】変更
【訂正の内容】
【００３１】
節９．前記少なくとも１つの生命保険オプションからの生命保険オプションの選択を受信するステップであって、前記生命保険オプションは、特定の期間若しくは日に又はその後に前記生命保険オプションに対応する生命保険契約を購入できることを前記消費者に保証するオプション契約を含む、ステップをさらに含む、節１に記載のコンピュータによって実施される方法。
【誤訳訂正１２】
【訂正対象書類名】明細書
【訂正対象項目名】００３２
【訂正方法】変更
【訂正の内容】
【００３２】
節１０．前記最適化された生命保険パッケージは、期間を有する生命保険契約を含み、前記少なくとも１つの生命保険オプションは、前記生命保険契約の前記期間に基づいている、節１に記載のコンピュータによって実施される方法。
【誤訳訂正１３】
【訂正対象書類名】明細書
【訂正対象項目名】００３３
【訂正方法】変更
【訂正の内容】
【００３３】
節１１．前記最適化された生命保険パッケージは、期間を有する複数の生命保険契約を含み、前記複数の生命保険契約の前記期間の総計は、保障期間にまで及んでいる、節１に記載のコンピュータによって実施される方法。
【誤訳訂正１４】
【訂正対象書類名】明細書
【訂正対象項目名】００３４
【訂正方法】変更
【訂正の内容】
【００３４】
節１２．前記少なくとも１つの生命保険オプションは、オプション日を含み、前記最適化された生命保険パッケージは、期間を有する少なくとも１つの生命保険契約を含み、前記少なくとも１つの生命保険オプションは、前記オプション日及び前記少なくとも１つの生命保険契約の前記期間に少なくとも部分的に基づいて決定される、節１に記載のコンピュータによって実施される方法。